(57)【要約】【課題】  優れた消臭効果を有する消臭剤を提供する。【解決手段】  落花生の種子をそのまま、水、水混和性有機溶媒又はこれらの混合溶媒で抽出して得られる抽出物又はその処理物を有効成分として含有する消臭剤；前記消臭剤を含有する洗浄剤組成物及び消臭用化粧料；並びに前記抽出物又はその処理物を用いることを特徴とする消臭方法。【選択図】  なし【特許請求の範囲】
【請求項１】
落花生の種子をそのまま、水、水混和性有機溶媒又はこれらの混合溶媒で抽出して得られる抽出物又はその処理物を有効成分として含有する消臭剤。
【請求項２】
抽出溶媒が水である請求項１記載の消臭剤。
【請求項３】
有効成分がプロアントシアニジンを含む請求項１又は２記載の消臭剤。
【請求項４】
有効成分が下記の理化学的性質：
核磁気共鳴スペクトル：図２に示すとおり、
赤外線吸収スペクトル：図３に示すとおり、
を有するプロアントシアニジンである請求項１〜３のいずれか１項に記載の消臭剤。
【請求項５】
有効成分が下記の理化学的性質：
核磁気共鳴スペクトル：図４に示すとおり、
赤外線吸収スペクトル：図５に示すとおり、
を有するプロアントシアニジンである請求項１〜３のいずれか１項に記載の消臭剤。
【請求項６】
請求項１〜５のいずれか１項に記載の消臭剤を含有する洗浄剤組成物。
【請求項７】
石鹸、ボディソープ、マウスウォッシュ、歯磨き、シャンプー、クレンジング、リンス又はヘアトリートメント剤である請求項６記載の洗浄剤組成物。
【請求項８】
落花生の種子をそのまま、水、水混和性有機溶媒又はこれらの混合溶媒で抽出して得られる抽出物又はその処理物を含有する洗浄剤組成物。
【請求項９】
請求項１〜５のいずれか１項に記載の消臭剤を含有する消臭用化粧料。
【請求項１０】
デオドラント剤である請求項９記載の消臭用化粧料。
【請求項１１】
デオドラント剤がヘアスプレー、ヘアムース又はデオドラントローションである請求項１０記載の消臭用化粧料。
【請求項１２】
落花生の種子をそのまま、水、水混和性有機溶媒又はこれらの混合溶媒で抽出して得られる抽出物又はその処理物を用いることを特徴とする消臭方法。
【発明の詳細な説明】
【技術分野】
【０００１】
本発明は、落花生抽出物の消臭剤としての用途に関する。
【背景技術】
【０００２】
これまでに、プロアントシアニジン及びこれを含有する植物抽出物が消臭効果を有していることが知られている（例えば、特許文献１及び２）。
落花生抽出物については、特許文献３に、落花生渋皮(種皮)抽出物を含有する口腔用剤が開示されており、当該抽出物が消臭作用を有することが記載されているが、その活性成分については明らかにされていない。
【０００３】
高等植物の生体防御物質として知られるプロアントシアニジンは、一般に、フラバン−７−オールを構成ユニットとして４β→６、４β→８、４β→８・２βＯ→７等の結合様式によって重合した二量体以上の重合体の総称であり、縮合型タンニンとも呼称される（非特許文献１及び非特許文献２）。これらは、酸処理によりアントシアニジンを生成して紅色になることからプロアントシアニジンと総称されている。
【０００４】
落花生種皮からは、次式：
【化１】
2005073889.tif 000002
【０００５】
【化２】
2005073889.tif 000003
【０００６】
【化３】
2005073889.tif 000004
【０００７】
【化４】
2005073889.tif 000005
【０００８】
【化５】
2005073889.tif 000006
で示されるプロアントシアニジンが精製・単離されている(非特許文献３、非特許文献４及び特許文献４)。
【０００９】
非特許文献３及び特許文献４は、前者の発表者と後者の発明者、及びそれらの開示内容は実質的に同一であるが、プロアントシアニジンの抽出条件について、前者には、落花生種皮（落花生２７９ｋｇから）を沸騰水１０００リットルで２回、各２時間抽出したと記載されているのに対し、後者には、落花生種皮２７９ｋｇに水１０００リットルを加えて９０〜９５℃で２回、各２時間抽出したと記載されている。抽出物の収量はいずれも１９０ｇと記載されている。
【００１０】
また、非特許文献４には、プロアントシアニジンの抽出条件について、アセトン−水（１：１、ｖ／ｖ）混合溶媒を用いて室温で２時間抽出したと記載されている。
【００１１】
また、落花生種皮からのプロアントシアニジンの抽出、及び落花生種皮抽出物の調製には、落花生種子から分離した種皮を用いており、落花生種子をそのまま水等で抽出することについては何ら報告されていない。
【特許文献１】ＷＯ９９／４９８６１
【特許文献２】特開２００１−７２５６３号公報
【特許文献３】特開２０００−１７８１５８号公報
【特許文献４】特許第２９７５９９７号公報
【非特許文献１】「スタインエッガー・ヘンゼル  生薬学［上］  化学・薬理学へのアプローチ」（糸川秀治他訳、（株）廣川書店発行）２０４〜２０８頁（１９７７年）
【非特許文献２】Porter L.J., Flavans and proanthocyanidins, In: Harborne J.B.(ed.), "The Flavonoids, Advances in Research Science 1986", Chapman & Hall, 1994, pp. 23-55
【非特許文献３】H. Lou, et al., Phytochemistry, 51, 297-308 (1999)（例えば、２９８〜２９９頁、３０５頁左欄１９〜２１行目）
【非特許文献４】J. J. Karchesy, et al., J. Agric. Food Chem., 34, 966-970 (1986) （例えば、９６７頁右欄１〜６行目、９６８頁図２）
【発明の開示】
【発明が解決しようとする課題】
【００１２】
本発明は、優れた消臭効果を有する消臭剤を提供することを目的とする。
【課題を解決するための手段】
【００１３】
本発明は、以下の発明を包含する。
（１）落花生の種子をそのまま、水、水混和性有機溶媒又はこれらの混合溶媒で抽出して得られる抽出物又はその処理物を有効成分として含有する消臭剤。
（２）抽出溶媒が水である前記（１）に記載の消臭剤。
（３）有効成分がプロアントシアニジンを含む前記（１）又は（２）に記載の消臭剤。
（４）有効成分が下記の理化学的性質：
核磁気共鳴スペクトル：図２に示すとおり、
赤外線吸収スペクトル：図３に示すとおり、
を有するプロアントシアニジンである前記（１）〜（３）のいずれかに記載の消臭剤。
（５）有効成分が下記の理化学的性質：
核磁気共鳴スペクトル：図４に示すとおり、
赤外線吸収スペクトル：図５に示すとおり、
を有するプロアントシアニジンである前記（１）〜（３）のいずれかに記載の消臭剤。
（６）前記（１）〜（５）のいずれかに記載の消臭剤を含有する洗浄剤組成物。
【００１４】
（７）石鹸、ボディソープ、マウスウォッシュ、歯磨き、シャンプー、クレンジング、リンス又はヘアトリートメント剤である前記（６）に記載の洗浄剤組成物。
（８）落花生の種子をそのまま、水、水混和性有機溶媒又はこれらの混合溶媒で抽出して得られる抽出物又はその処理物を含有する洗浄剤組成物。
（９）前記（１）〜（５）のいずれかに記載の消臭剤を含有する消臭用化粧料。
（１０）デオドラント剤である前記（９）に記載の消臭用化粧料。
（１１）デオドラント剤がヘアスプレー、ヘアムース又はデオドラントローションである前記（１０）に記載の消臭用化粧料。
（１２）落花生の種子をそのまま、水、水混和性有機溶媒又はこれらの混合溶媒で抽出して得られる抽出物又はその処理物を用いることを特徴とする消臭方法。
【発明の効果】
【００１５】
本発明によれば、落花生由来の、優れた消臭効果を有する消臭剤を提供することができる。
【発明を実施するための最良の形態】
【００１６】
落花生の果実は強固な果皮を有し、この内部に通常２個の種子が存在する。内存する種子にはこれを包する種皮がある。本発明では、落花生種子をそのまま、即ち、落花生種子から種皮を分離したり、落花生種子を破砕、粉砕等により粉末化処理することなく抽出を行う。これにより、有効成分であるプロアントシアニジンを効率よく、かつ高純度で製造することができる。落花生種子としては、種皮の全部又は一部が剥離したものを除外し、種皮が種子全体を覆っているものを選別して用いることが、有効成分であるプロアントシアニジンの純度の点で好ましい。
【００１７】
従来、落花生種皮抽出物の調製には、落花生種子から分離した種皮を用いていたが、この場合、種皮分離時の乾燥工程及び分離工程にプロアントシアニジンが変性又は除去されることにより、プロアントシアニジンの含量及び純度が低下し、更に、種皮を種子から分離する際に種子由来の油分が種皮に付着し、抽出物に油分が混入し、純度が低下する。
【００１８】
抽出前に、種子を洗浄する場合には、汚れを落とす程度に水等で簡単に洗浄することが、有効成分であるプロアントシアニジンの含量の点で好ましい。
【００１９】
抽出溶媒としては、水及び；低級アルコール類、例えばメタノール、エタノール、プロパノール、イソプロパノール、ブタノール、イソブタノール；エーテル類、例えばエチルエーテル、ジオキサン；ケトン類、例えばアセトン等の水混和性有機溶媒、並びにこれらの混合溶媒が挙げられるが、水、エタノール、又は水−エタノール混合溶媒が好ましい。抽出に用いる水の種類は、上水、天然水、ＲＯ（逆浸透膜）処理水、深層水、磁気化水、単分子水、水の結鎖角度を変化させた処理水等、飲用又は皮膚に適用できるものであれば如何なるものでもよい。
【００２０】
通常、種子１ｋｇ当り抽出溶媒１〜５Ｌを使用する。
抽出温度は、通常、溶媒の融点ないし溶媒の沸点の範囲内であり、好ましくは０〜８０℃、更に好ましくは５〜５０℃である。超臨界抽出をしてもよい。また、抽出は、通常常圧下で行うが、加圧下又は減圧下で行ってもよい。抽出時間は、抽出温度等により異なり、通常５分間〜１日間であるが、種子由来の油分が溶出してこない時間内とするのが好ましい。抽出溶媒として水を用いて５〜５０℃で抽出する場合、抽出時間は、好ましくは５〜６０分、更に好ましくは１０〜３０分である。
抽出液に再度未処理の落花生種子を加え前記と同様の抽出操作を１又は複数回繰り返してもよい。
【００２１】
前記のようにして得られた抽出液を、布、ステンレスフィルター、濾紙等で濾過して落花生種子、不純物等を取り除くことで、目的の抽出液を得ることができる。また、濾過後の抽出液に、スプレードライ処理、フリーズドライ処理、超臨界処理等の処理を施してもよい。
【００２２】
このようにして得られる抽出物の乾燥粉末には、通常６０％以上、好ましくは８０％以上（核磁気共鳴スペクトルから算出）のプロアントシアニジンが含有されている。したがって、前記乾燥粉末は、高純度プロアントシアニジンとして、本発明の消臭剤の有効成分として用いることができる。
【００２３】
また、前記抽出物をイオン交換クロマトグラフィー、ゲル濾過クロマトグラフィー（好ましくは逆相カラムクロマトグラフィー（ＯＤＳ））、透析等の各種精製手段により処理し、更に活性を高めた処理物として用いてもよい。
【００２４】
以上のようにして得られる落花生抽出物又はその処理物は、種々の悪臭に対して優れた消臭効果を発揮する。
【００２５】
本発明の消臭剤は、口臭、体臭、皮膚等に付着した臭いの消臭用途に限定されず、ペットの飼育環境、介護環境における悪臭、あるいはトイレ、リビングルーム、寝室、台所、玄関、サニタリー用品、ペット以外の排泄物、タバコ、オムツ、衣類、生ゴミ、冷蔵庫、靴、下駄箱、ゴミ箱などあらゆる悪臭の消臭用途に用いることができる。
【００２６】
本発明の消臭剤の形態としては、外用の場合、例えば液剤、ジェル剤、クリーム剤、軟膏剤が挙げられ、経口の場合、例えばドリンク剤、チューインガム、飴、ゼリー、錠剤、カプセル剤、顆粒剤、細粒剤、散剤、液剤、シロップ剤、懸濁剤、乳剤、エリキシル剤が挙げられる。更に、前記のペットの飼育環境、介護環境等における悪臭の消臭用途には、スプレー剤（例えば、トリガータイプ、ディスペンサータイプ、エアゾール）として用いることが好ましい。
【００２７】
前記製剤中の落花生抽出物又はその処理物の配合量は、抽出物乾燥粉末として、通常０．００１〜１０重量％である。
また、本発明の消臭剤は、各種の洗浄剤組成物又は化粧料中に配合して用いてもよい。
【００２８】
本発明の消臭剤を配合する洗浄剤組成物は、皮膚洗浄剤組成物に限定されず、ペットの飼育環境、介護環境における悪臭、あるいはトイレ、リビングルーム、寝室、台所、玄関、サニタリー用品、ペット以外の排泄物、タバコ、オムツ、衣類、生ゴミ、冷蔵庫、靴、下駄箱、ゴミ箱などあらゆる悪臭の消臭を目的として各種洗浄剤組成物に用いることができる。
【００２９】
本発明の洗浄剤組成物に配合する洗浄剤成分としては、脂肪酸金属塩（石鹸）又は合成界面活性剤のいずれも用いることができる。
脂肪酸金属塩としては、公知のもの、例えば炭素数８〜２２の脂肪酸のアルカリ金属塩（例えばナトリウム塩、カリウム塩）、アンモニウム塩などを用いることができる。脂肪酸は、飽和脂肪酸又は不飽和脂肪酸のいずれであってもよく、直鎖脂肪酸又は分岐鎖を有する脂肪酸のいずれであってもよい。また、脂肪酸金属塩として、炭素数２〜６程度のアルキロールアンモニウム塩も挙げることができる。
【００３０】
また、前記の脂肪酸は、石鹸原料として公知の油脂から得られるものを用いることができる。このような油脂としては、例えば大豆、トウモロコシ、米糠、牛、豚、ナタネ、綿実、ヤシなどの油脂、パーム油、パーム核油などが挙げられる。
【００３１】
合成界面活性剤としては、公知のものを用いることができる。例えば、アルキルベンゼンスルホン酸塩、α−オレフィンスルホン酸塩、アルキル硫酸エステル塩、ポリオキシエチレン（ＰＯＥ）アルキルエーテル硫酸エステル塩、α−スルホ脂肪酸エステル塩などの陰イオン性界面活性剤、ＰＯＥアルキルエーテル、ＰＯＥアルキルフェニルエーテル、脂肪酸ジエタノールアミドなどの非イオン性界面活性剤などが挙げられる。
【００３２】
また、本発明の洗浄剤組成物の形状は特に限定されず、例えば固体（固形、粉状）、半固体、液体のものが挙げられる。
また、用途も特に限定されず、例えば洗濯用、掃除用、台所用、浴用、洗顔用、口腔用などの用途のものが挙げられる。具体的には、固形のものとしては浴用石鹸、洗濯用石鹸、台所用石鹸などが挙げられる。粉状のものとしては洗顔剤、洗濯用洗浄剤などが挙げられる。半固体のものとしては洗顔剤、歯磨きなどが挙げられる。液体のものとしてはヘアーシャンプー、ボディソープ、マウスウォッシュ、クレンジング、リンス、ヘアトリートメント剤、洗濯用洗浄剤、掃除用洗浄剤、台所用洗浄剤などが挙げられる。
【００３３】
本発明の洗浄剤組成物は、必要に応じて、ビルダー、発泡助剤、粘度調整剤、色素、その他の添加剤などを含んでいてもよい。
消臭成分である落花生抽出物又はその処理物の含有量は、洗浄剤の種類や用途によっても異なるが、洗浄剤組成物に対して、抽出物乾燥粉末として、通常０．００１〜１０重量％である。
【００３４】
本発明の洗浄剤組成物は、落花生抽出物又はその処理物を前記比率になるように洗浄剤などに配合することによって製造できる。
本発明の洗浄剤組成物は、落花生抽出物又はその処理物を配合する以外は、それ自体公知の方法に従って、製造することができる。例えば、機械練り石鹸とする場合には、石鹸素地に、落花生抽出物又はその処理物、及びその他の添加剤を加えて、十分に混練した後、所望の形状に成形することにより製造することができる。
【００３５】
本発明の消臭用化粧料は、消臭効果を目的の一つとする化粧料であれば制限はなく、例えばデオドラント剤としてヘアスプレー、ヘアムース、デオドラントローション等が挙げられる。
【００３６】
消臭成分である落花生抽出物又はその処理物の含有量は、化粧料の種類や用途によっても異なるが、化粧料に対して、抽出物乾燥粉末として、通常０．００１〜１０重量％である。
【００３７】
また、本発明の消臭方法は、消臭を目的とするものであれば制限はなく、口臭、体臭、皮膚等に付着した臭い、又はペットの飼育環境、介護環境における悪臭、あるいはトイレ、リビングルーム、寝室、台所、玄関、サニタリー用品、ペット以外の排泄物、タバコ、オムツ、衣類、生ゴミ、冷蔵庫、靴、下駄箱、ゴミ箱などあらゆる悪臭を消臭する方法を包含する。
【実施例】
【００３８】
以下、実施例により本発明を更に具体的に説明するが、本発明の範囲はこれらの実施例に限定されるものではない。
（実施例１）落花生種子抽出物の調製
（製造法Ａ）
１．皮のむけていない落花生種子（以下「落花生種子」という。）を６０ｋｇ用意し、簡単に水洗した。
２．ＲＯ処理水（以下「水」という。）（１５〜２５℃）３０Ｌを容器に入れ、そこに前記１．で用意した落花生種子２０ｋｇを入れ、２０分間放置した後、落花生種子だけを取り出し２８Ｌの抽出液Ａを得た。
３．前記抽出液Ａに未抽出の落花生種子２０ｋｇを入れ、２０分間放置した後、落花生種子だけを取り出し２６Ｌの抽出液Ｂを得た。
４．前記抽出液Ｂに未抽出の落花生種子２０ｋｇを入れ、２０分間放置した後、落花生種子だけを取り出し約２４Ｌの抽出液Ｃを得た。
５．前記抽出液Ｃを目の細かい布で濾過し、抽出液Ｄを得た。
【００３９】
６．前記抽出液Ｄを加圧式濾過器にかけ、抽出液Ｅを得た。濾過器のフィルターとしては、布６枚を重ねたものを用いた。
７．前記抽出液Ｅを加圧式濾過器にかけ、抽出液Ｆを得た。濾過器のフィルターとしては、７μｍのステンレス製フィルターを用いた。
８．前記抽出液Ｆを凍結濃縮し、抽出液Ｇを得た。
９．前記抽出液Ｇを凍結乾燥又はスプレードライに付し、１５０ｇの落花生種子抽出物Ｈを得た。
１０．前記抽出物Ｈを６０メッシュの篩にかけ、桃色の抽出物Ｉを微粒子状の粉体として得た。
【００４０】
１１．前記抽出物Ｉを分析した結果を以下に示す。
（１）薄層クロマトグラフィー
逆相薄層クロマトグラフィー（ＯＤＳ）分析により、主として１種の成分からなることがわかった。
（ａ）展開溶媒：５０％アセトニトリル
スポットＡ：Ｒｆ  ０．７１
（ｂ）展開溶媒：３５％アセトニトリル
スポットＡ：Ｒｆ  ０．４７
【００４１】
（２）高速液体クロマトグラフィー
以下の条件で行った高速液体クロマトグラフィーは、分子量の異なるポリフェノールの混合物であることを示した。結果を図１に示す。
カラム：昭和電工（株）製 Shodex SUGAR KS-801（8.0mm id×300mm）
試料：前記抽出物Ｉ（水に溶解後、１日放置）
試料サイズ：１０μＬ（１０ｍｇ／ｍｌ）
溶離液：水
流量：０．３５ｍｌ／分
カラム温度：８０℃
圧力：５０ｋｇ／ｃｍ2
検出：ＲＩ range 1
【００４２】
（３）逆相カラムクロマトグラフィー（ＯＤＳ）によるポリフェノール含量の分析
前記抽出物Ｉ１．０ｇをＯＤＳカラム（ＯＤＳ１０ｇ）に通導し、水８０ｍｌ及び５０％メタノール８０ｍｌを流した結果、５０％メタノール溶出画分から０．９６ｇのポリフェノールを得た。（ポリフェノール含有量９６％）
（４）ＮＭＲスペクトル
前記抽出物Ｉの核磁気共鳴（1Ｈ ＮＭＲ）スペクトル（500MHz,Ｄ2Ｏ）を図２に示す。
（５）ＩＲスペクトル
前記抽出物Ｉの赤外線吸収（ＩＲ）スペクトルを以下に示す。
IR (KBr): 3000-3700, 2900, 2850, 1616, 1525, 823, 782 cm-1（図３参照）
１２．ＮＭＲスペクトルによる解析から、前記抽出物Ｉには、約９０％のプロアントシアニジンが含まれていることが判明した。
【００４３】
（製造法Ｂ）
種皮付落花生種子を超純水１Ｌに１０分間浸けた後、ブフナーロートを用いて減圧濾過した。濾液を凍結乾燥して、粉末状の落花生種子抽出物Ｊを２．６５ｇ得た。
落花生種子抽出物ＪのＮＭＲスペクトル及びＩＲスペクトルを、それぞれ図４及び図５に示す。
【００４４】
ＮＭＲスペクトルにおいて、高分子ポリフェノール由来のシグナル（６．５〜７．３ｐｐｍ）の他に、糖に由来すると思われるシグナルが大きく観察され、前記抽出物Ｉのプロアントシアニジンとは相違する物質と考えられた。
【００４５】
（公知のプロアントシアニジンとの比較）
特許第２９７５９９７号公報に記載の落花生種皮由来のプロアントシアニジンでは、段落００５７に記載の構造式及び段落００５８の表１に記載の置換基から明らかなように、芳香環（Ａ環、Ｂ環、Ｄ環及びＥ環；段落０００６の一般式（１）参照）上の水素合計９個に対し、Ｆ環（段落０００６の一般式（１）参照）におけるメチレン水素が２個存在する。このメチレン水素は、段落００５９の表２の1Ｈ  ＮＭＲデータの４´α、４´βに相当し、それらのシグナルが２．５８〜２．９５ｐｐｍに観察されるが、本発明のプロアントシアニジンでは対応するシグナルはほとんど観察されない（図２及び図４参照）。
従って、本発明のプロアントシアニジンは、公知の落花生種皮由来のプロアントシアニジンとは相違し、新規なプロアントシアニジンと考えられる。
【００４６】
（実施例２）口臭に対する効果
ミネラルウォーター１．５Ｌに対し、実施例１で得られた抽出物Ｉ（１ｇ）を溶かした水溶液を調製し、液体（Ａ）とした。同量のミネラルウォーターを液体（Ｂ）とした。
６名の被験者に、生ニンニクを約１ｇ、口の中で噛み砕き食べさせた。食した後、直ちに口臭をかぎ、臭いの確認をしたところ、ニンニクの臭いが強烈に臭った。６名中の３名の被験者に、直ちに液体（Ａ）６０ｍｌを口に含ませ、口中をぶくぶくと洗浄させ、液体（Ａ）をそのまま飲ませた後、口臭を確認したところ、いずれの被験者もほんの少し臭う程度になった。
【００４７】
同様の方法で液体（Ｂ）を他の者３名の被験者に試したところ、ニンニク臭は食した直後と洗浄した直後と比較し、さほど差はなくニンニク臭がした。
１０分後、液体（Ａ）を使用した者は微かなニンニク臭を感じた。液体（Ｂ）を使用した者は、ニンニク臭が洗浄した直後とさほど変わらなかった。
【００４８】
（実施例３）腋臭に対する消臭効果
表１に示す組成にしたがって、本発明のジェル剤と対照ジェル剤を調製した。
【００４９】
【表１】
2005073889.tif 000007
【００５０】
１，３−ブチレングリコールとキサンタンガム、カルボキシビニルポリマーを混合し、水に加え増粘させた後、ディスパーで撹拌しながらグリチルリチン酸ジカリウム、ソルビトール、ｐＨ調整剤、防腐剤、実施例１で得られた抽出物Ｉを加えていき、本発明のジェル剤を調製した。
実施例１で得られた抽出物Ｉを配合しない以外は前記と同様にして、対照ジェル剤を調製した。
腋臭の被験者１名について、左右の脇の下の臭いの臭さを確認し、同程度と判断した。
【００５１】
右の脇の下に本発明のジェル剤を塗布し、左の脇の下に同量の対照ジェル剤を塗布して半日経過した時点で臭いの確認をしたところ、本発明のジェル剤を塗布した方はほとんど腋臭の臭いはせず、対照ジェル剤を塗布した方は腋臭の臭いがした。また、半日経過した時点で再度左右の脇の下に前回と同様に右に本発明のジェル剤、左に対照ジェル剤を塗布し半日経過後、臭いを確認したところ、前回と同様の結果を得た。
【００５２】
（実施例４）石鹸による消臭効果
表２に示す組成にしたがって、石鹸素地に、実施例１で得られた抽出物Ｉ、及びその他の添加剤を加えて、十分に混練した後、成形し、１個の重量が１００ｇの石鹸を製造した。実施例１で得られた抽出物Ｉを配合した石鹸を本発明の石鹸とし、配合していない石鹸を対照石鹸とした。
【００５３】
【表２】
2005073889.tif 000008
【００５４】
本発明の石鹸と対照石鹸を用いて、被験者３名に対して、以下のようにして消臭テストを行ったところ、いずれの被験者においても以下の結果が得られた。
１．ニンニクをすりおろし、手に塗って対照石鹸で洗った時、少し臭いが落ちたが、かなりのニンニク臭が残っていた。
同様にして本発明の石鹸で洗った場合、ほとんどニンニク臭が消えた。
２．生イカ、スモークサーモン、ドクダミの葉、キムチ等を前記と同様の方法で試みたが同様の結果を得た。
【産業上の利用可能性】
【００５５】
本発明の消臭剤は、種々の悪臭の消臭に有用であり、また、洗浄剤組成物及び化粧料に配合することにより消臭効果を発揮する。
【図面の簡単な説明】
【００５６】
【図１】落花生種子抽出物の高速液体クロマトグラフィーの結果を示す図である。
【図２】落花生種子抽出物のＮＭＲスペクトルを示す図である。
【図３】落花生種子抽出物のＩＲスペクトルを示す図である。
【図４】落花生種子抽出物（結晶体）のＮＭＲスペクトルを示す図である。
【図５】落花生種子の抽出物（結晶体）のＩＲスペクトルを示す図である。
【図１】
2005073889.tif 000009
【図２】
2005073889.tif 000010
【図３】
2005073889.tif 000011
【図４】
2005073889.tif 000012
【図５】
2005073889.tif 000013